【事件の表示】
　平成１１年特許願第　５３４２８号「情報表示方法」拒絶査定不服審判事件〔平成１２年　９月１４日出願公開、特開２０００−２５０６７９〕について、次のとおり審決する。
【結　論】
　本件審判の請求は、成り立たない。
【理　由】
１．手続の経緯
　本願は平成１１年３月２日の出願であって、平成１７年３月３０日付けで拒絶査定がなされ、これに対して平成１７年５月６日に拒絶査定に対する審判が請求されるとともに、同年６月６日付けで手続補正がなされたものである。
　
２．平成１７年６月６日付け手続補正について
［補正却下の決定の結論］
　平成１７年６月６日付け手続補正（以下「本件補正」という。）を却下する。
［理由］
　補正後の本願発明
　本件補正により、特許請求の範囲の請求項１は次のとおり補正された。
「上位の階層の選択項目に下位の階層の選択状況を示す情報を付加して表示することにより、前記下位の階層の選択項目を表示するサブメニュー画面を用いることなく、階層的に組み立てられた選択項目の情報を表示する情報表示方法であって、各階層で選択される各選択項目にそれぞれ個別の記号を付し、該各階層の任意の階層のメニュー画面のタイトルに含まれる選択項目には、少なくとも、当該階層の選択項目の選択項目名と、当該階層の選択項目の記号と、一つ下位の階層で設定されている選択項目の記号と、を表示する、ことを特徴とする情報表示方法。」
　上記補正は、請求項１に記載した発明を特定するために必要な事項である「上位の階層の選択項目に下位の階層の選択状況を示す情報を階層的に組み立てて表示する情報表示方法」を「上位の階層の選択項目に下位の階層の選択状況を示す情報を付加して表示することにより、前記下位の階層の選択項目を表示するサブメニュー画面を用いることなく、階層的に組み立てられた選択項目の情報を表示する情報表示方法」と限定し、「当該階層の選択項目の記号と、一つ下位の階層で設定されている選択項目の記号とを表示する」を「当該階層の選択項目の選択項目名と、当該階層の選択項目の記号と、一つ下位の階層で設定されている選択項目の記号と、を表示する」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）引用刊行物
　原査定の拒絶の理由に引用された、本願の出願日前に頒布された刊行物「特開平１０−１６１８２９号公報」（以下「引用刊行物１」という。）には、図面とともに以下の記載がある。
（イ）「【請求項１】  各種機能の設定画面を階層構造とし、その上位階層として各種機能の内容を表す画面を、下位階層として上位階層の機能の設定状態を表す画面をそれぞれ表示する一方、機能の設定状態を表す画面が表示されている状態においてその機能の設定状態を変更可能とする機能設定装置において、
上位階層の画面を表示するとき、その画面上に、その機能の設定状態を表す画像を表示させる表示制御手段を設けたことを特徴とする機能設定装置。」（第２頁左欄）
　
（ロ）「【０００５】
【課題を解決するための手段】上記目的を達成するために、本発明は、各種機能の設定画面を階層構造とし、その上位階層として各種機能の内容を表す画面を、下位階層として上位階層の機能の設定状態を表す画面をそれぞれ表示する一方、機能の設定状態を表す画面が表示されている状態においてその機能の設定状態を変更可能とする機能設定装置において、上位階層の画面を表示するとき、その画面上に、その機能の設定状態を表す画像を表示させる表示制御手段を設けたものである。
【０００６】従って、本発明によれば、使用者による操作に基づいて上位階層の画面を表示させると、表示制御手段がその上位階層の画面に対応した機能の設定状態を表す画像を、その上位階層の画面上に表示させることにより、使用者は上位階層のみを検索することによって各種機能の内容とその設定状態とを確認することができる。」（第２頁左欄〜右欄）
　
（ハ）「【００１１】上記のように構成された携帯電話機において、機能設定時の動作を図２に示すフローチャートに基づいて説明する。
【００１２】使用者が操作入力部７に設けられた機能キーや数字キー等を操作することによって主制御部２が機能設定モードに移行し、このとき主制御部２はグラフィックデータ記憶部９を制御して上位階層の画面である機能設定時の設定項目を表すグラフィックデータを読み出し、その読み出したグラフィックデータに基づいて表示部６を制御することにより、表示部６に設定項目を表す画面を表示する（ステップＦ１）と共に、その設定項目に対応する機能の設定状態を設定データ記憶部８から取り出しチェックする（ステップＦ２）。
【００１３】そして、このチェックの結果、表示部６に表示された設定項目に対応する機能が設定中であると判定されると、主制御部２はグラフィックデータ記憶部９を制御して当該機能が設定中であることを表すグラフィックデータを読み出し、その読み出したグラフィックデータに基づいて表示部６を制御することにより、設定項目を表す画面上に、その設定項目に対応する機能が設定中であることを表す画像を表示する（ステップＦ３）一方、主制御部２におけるチェックの結果、表示部６に表示された設定項目に対応する機能が設定中でないと判定されると、主制御部２はグラフィックデータ記憶部９を制御して当該機能が非設定であることを表すグラフィックデータを読み出し、その読み出したグラフィックデータに基づいて表示部６を制御することにより、設定項目を表す画面上に、その設定項目に対応する機能が非設定であることを表す画像を表示する（ステップＦ４）。
【００１４】そして、表示部６に設定項目を表す画面とその設定項目に対応する機能の設定状態を表す画像とが表示された状態において、使用者が操作入力部７に設けられた機能キーや数字キー等を操作することによって設定状態の変更を指示する（ステップＦ５）と、主制御部２はグラフィックデータ記憶部９を制御して当該設定項目が表す機能の設定状態（下位階層の画面）を表すグラフィックデータを読み出し、その読み出したグラフィックデータに基づいて表示部６を制御することにより、表示部６に設定項目に対応する機能の設定画面を表示し（ステップＦ７）、この表示状態において、使用者が操作入力部７に設けられた機能キーや数字キー等を操作することによって変更後の設定状態を選択したとき（ステップＦ８）、主制御部２が設定データ記憶部８に記憶された表示部６に表示された設定画面に対応する機能の設定状態を、使用者によって選択された設定状態に変更して記憶する（ステップＦ９）と共に、グラフィックデータ記憶部９を制御して表示部６に表示中の設定画面の上位階層画面である設定項目を表すグラフィックデータを読み出し、その読み出したグラフィックデータに基づいて表示部６を制御することにより、表示部６に設定項目を表す画面を表示し、その設定項目に対応する機能の設定状態を設定データ記憶部８から取り出しチェックするといった上述の動作制御（ステップＦ１〜Ｆ９）を実行する。」（第２頁右欄〜第３頁左欄）
　
（ニ）「【００１７】次に、図３に基づいて上記のような動作制御による表示部６の表示内容の移り変わりの一例を説明する。尚、設定データ記憶部８には、ボタン確認音として「ＯＦＦ」、バイブレータとして「ＯＮ」、着信音量として「３」がそれぞれ事前に設定されているものとする。
【００１８】使用者が操作入力部７に設けられた機能キーや数字キー等を操作することによって主制御部２が機能設定モードに移行すると、表示部６にスタート画面Ａが表示され、その後に各種機能の大分類を選択するメニュー画面Ｂ，Ｃが２画面にわたって表示される。尚、このメニュー画面Ｂとメニュー画面Ｃとは操作入力部７に設けられたアップキー又はダウンキーの操作によって相互に切り替わるようになっている。
【００１９】そして、メニュー画面Ｂが表示されている状態において、使用者が操作入力部７に設けられた数字キーである「１」を操作することによって音の設定を指示すると、表示部６に設定状態ＯＦＦを表す画像が混在した「ボタン確認音」の設定項目画面Ｄが表示され、又この表示状態において操作入力部７に設けられたダウンキーが操作されると、設定状態ＯＮを表す画像が混在した「バイブレータ」の設定項目画面Ｅが表示され、更にこの表示状態において操作入力部７に設けられたダウンキーが操作されると、設定状態として３を表す画像が混在した「着信音設定」の設定項目画面Ｆが表示される。尚、「着信音設定」の設定項目画面Ｆが表示されている状態において操作入力部７に設けられたアップキーが操作されると、「バイブレータ」の設定項目画面Ｅが表示され、又「バイブレータ」の設定項目画面Ｅにおいて操作入力部７に設けられたアップキーが操作されると、「ボタン確認音」の設定項目画面Ｄが表示される。
【００２０】そして、表示部６に設定状態ＯＦＦを表す画像が混在した「ボタン確認音」の設定項目画面Ｄが表示されている状態において、使用者が操作入力部７に設けられた機能キーである「ＰＵＳＨ」を操作することによってボタン確認音の設定を指示すると、表示部６にボタン確認音のＯＮ／ＯＦＦを設定する方法を表し、その設定を促す設定画面Ｇが表示され、この表示状態において操作入力部７に設けられた数字キーである「１」を操作すると、表示部６に設定状態ＯＮを表す画像が混在した「ボタン確認音」の設定項目画面Ｈが表示され、又「０」を操作すると、表示部６に設定状態ＯＦＦを表す画像が混在した「ボタン確認音」の設定項目画面Ｄが表示される。
【００２１】又、表示部６に設定状態ＯＮを表す画像が混在した「バイブレータ」の設定項目画面Ｅが表示されている状態において、使用者が操作入力部７に設けられた機能キーである「ＰＵＳＨ」を操作することによってバイブレータの設定を指示すると、表示部６にバイブレータのＯＮ／ＯＦＦを設定する方法を表し、その設定を促す設定画面Ｉが表示され、この表示状態において操作入力部７に設けられた数字キーである「１」を操作すると、表示部６に設定状態ＯＮを表す画像が混在した「バイブレータ」の設定項目画面Ｅが表示され、又「０」を操作すると、表示部６に設定状態ＯＦＦを表す画像が混在した「バイブレータ」の設定項目画面Ｊが表示される。
【００２２】従って、上記のような表示の移り変わりからも明らかなように、表示部６に設定項目画面Ｄ，Ｅ，Ｆが表示された時点において、その設定項目の設定状態を短時間で確認することができ、その確認の結果に基づいて設定の変更が必要な項目のみについて設定画面Ｇ，Ｈに移行すれば良く、短時間で各種機能を使用者の所望する設定状態に移行させることができる。」（第３頁右欄〜第４頁左欄）　
　
（ホ）「【００２３】
【発明の効果】以上のように、本発明によれば、上位階層の画面上に、その上位階層の画面に対応した機能の設定状態を表す画像を表示することにより、それら画像を表示する画面を大きくすることなく、上位階層のみを検索することによって各種機能の内容とその設定状態とを確認することができるため、使用者において繁雑な操作を要することはなく、又短時間で各種機能の設定状態を確認することができ、それに伴って、この機能設定装置を用いた携帯電話機においては、通話中に機能設定をする場合においても、設定中に通話相手を長時間待たせるといったことがなく、通話料金がかさむといったこともなくすことができる。」（第３頁右欄〜第４頁右欄）
　
　なお、図３の記載を参酌すると、上記記載事項（ニ）段落【００２０】の「その設定を促す設定画面Ｇが表示され、この表示状態において操作入力部７に設けられた数字キーである「１」を操作すると、表示部６に設定状態ＯＮを表す画像が混在した「ボタン確認音」の設定項目画面Ｈが表示され、」との記載中、「設定項目画面Ｈ」とあるのは、「設定項目画面Ｉ」の誤記であり、また、段落【００２１】の「「バイブレータ」の設定項目画面Ｅが表示されている状態において、使用者が操作入力部７に設けられた機能キーである「ＰＵＳＨ」を操作することによってバイブレータの設定を指示すると、表示部６にバイブレータのＯＮ／ＯＦＦを設定する方法を表し、その設定を促す設定画面Ｉが表示され、」との記載中「設定画面Ｉ」とあるのは、「設定画面Ｈ」の誤記である。
　
　上記記載事項（ニ）を参照すると、図３には、ボタン確認音の設定項目画面Ｄ、Ｉにはそれぞれ、下位の階層で設定されている設定項目を示す画像として、ボタン確認音ＯＦＦ、ボタン確認音ＯＮの状態を示す記号が表示され、バイブレターの設定項目画面Ｅ、Ｊにはそれぞれ、一つ下位の階層で設定されている設定項目を示す画像として、バイブレータＯＮ、バイブレータＯＦＦの状態を示す記号が表示されており、引用刊行物１において、設定項目を示す「画像」とは、設定項目を示す「記号」を意味しているといえる。
　また、図３には、メニュー画面Ｂ、Ｃの各選択項目にはそれぞれ「１：音の設定、２：表示の設定」、「３：セキュリティ、４：ネットワークサービス」との名称が記載され、設定項目を選択する画面Ｄ、Ｅにはそれぞれ、「ボタン確認音」、「バイブレータ」との名称が記載され、機能の設定状態を変更可能とする画面Ｇ、Ｈの選択項目にはそれぞれ「ボタン確認音　□１ＯＮ　□２ＯＦＦ」、「バイブレータ　□１ＯＮ　□２ＯＦＦ」の名称が記載されている。
（なお、□で囲まれた数字１、２については、それぞれ、□１　、□２　と表記した。）
　
　これらの引用刊行物１の記載から、引用刊行物１には以下の発明（以下、「引用発明１」という。）が記載されているものと認められる。 
 「階層構造を有し、選択項目を選択するメニュー画面であって、メニュー画面Ｂ、Ｃと、メニュー画面Ｂの下位の階層の設定項目画面Ｄ、Ｅ、Ｆと、設定項目画面Ｄの下位の階層の設定画面Ｇとを有し、
　メニュー画面Ｂ、Ｃと、メニュー画面Ｂの下位の階層の設定項目画面Ｄ、Ｅ、Ｆと、設定項目画面Ｄの下位の階層の設定画面Ｇのそれぞれには選択項目の名称が表示され、
　設定項目画面Ｄを表示するとき、選択項目の名称と、一つ下位の階層で選択（設定）されている項目を示す記号とを表示する、階層構造を有するメニューを表示する方法。」
　
　同じく、原査定の拒絶の理由に引用された、本願の出願日前に頒布された刊行物「特開平９−５０３６１号公報」（以下「引用刊行物２」という。）には、図面とともに以下の記載がある。
（ホ）「【請求項２】  操作対象を選択するための階層構造を有した１つ以上のメニュー項目を含むメニューを表示手段に表示するメニュー表示装置であって、
メニュー項目を他のメニュー項目と区別できるようにその内容を示唆する図柄を記憶しているメニュー項目記憶手段と、
表示手段上の指示印の移動によってメニュー項目の選択を受け付ける選択操作手段と、
前記選択操作手段が受け付けたメニュー項目に関連付けられた下位階層のメニュー項目を前記メニュー項目記憶手段から読み出して、前記表示手段に表示させるメニュー項目表示制御手段と、
前記表示手段に表示させたメニュー項目に関連付けられた上位の階層のメニュー項目の図柄を前記メニュー項目記憶手段から読み出してその図柄の一部又は全部を含む新たな図柄を生成するマーカ図柄生成手段と、
前記マーカ図柄生成手段が生成した新たな図柄を前記選択操作手段の指示印として前記表示手段に表示させるマーカ図柄表示制御手段とを備えることを特徴とするメニュー表示装置。」（第２頁左欄）
　
（ヘ）「【００１６】
【発明の実施の形態】以下、本発明に係るメニュー表示装置を実施の形態に基づいて説明する。
（実施の形態１）図１は、本発明に係るメニュー表示装置の実施の形態１の構成図である。このメニュー表示装置は、メニュー項目管理部１０１と、４方向（上下左右）のカーソルキー、マウス、トラックボール、ジョイスティック等からなる選択操作部１０２と、メニュー項目表示指示部１０３と、メニュー項目表示制御部１０４と、マーカ図柄生成部１０５と、マーカ表示制御部１０６と、液晶ディスプレイ、ＣＲＴ等のビットマップディスプレイからなる表示部１０７とを備える。
【００１７】メニュー項目管理部１０１は、図２に示すようなメニューを記憶している。ここで、メニュー０は、最上位の階層のメニューであり、各メニュー項目ごとにその内容を表す項目名の欄２０１と、メニュー項目の内容をユーザに暗示し、併せて他のメニュー項目と区別するための図柄の欄２０２と、後述するマーカ図柄生成部１０５によって参照される補助図柄の欄２０３とを有する。そして、各メニュー項目は、図２の矢印２０４、２０５等で示すように上下の階層関係をなしている。例えば、メニュー０の項目名Ｂのメニュー項目２０７の一つ下位の階層には、項目名ＢＡ，ＢＢ，ＢＣのメニュー項目２０８、２０９、２１０があり、メニュー２のメニュー項目名ＢＣのメニュー項目２１０の一つ下位の階層には、項目名ＥＡ，ＥＢ，ＥＣのメニュー項目２１１、２１２、２１３がある。なお、それぞれのメニュー項目は、図柄の欄２０３に記憶されたメニュー項目を特徴づける図柄と、項目名の欄２０１に記憶された文字列による内容表記の対で構成されて、表示部１０７に表示される。表示すべきメニュー項目が複数存在するときは、縦方向に整列されて表示される。また、各メニュー項目の左側には、そのメニュー項目が選択操作の対象となっていることを表すマーカ図柄を表示するための表示領域が確保されている。」（第４頁右欄〜第５頁左欄）
　
　これら引用刊行物２の記載から、引用刊行物２には以下の発明（以下、「引用発明２」という。）が記載されているものと認められる。 
 「複数の階層からなるメニュー画面であって、各階層のメニュー画面は各メニュー項目毎にその内容を表す項目名の欄と、図柄の欄を有し、当該図柄は他のメニュー項目と区別するための、メニュー項目の内容をユーザに暗示しメニュー項目を特徴づける図柄である、階層メニュー。」
　
（２）対比
　本願補正発明と引用発明１を対比すると、
　引用発明１の各階層のメニュー画面（メニュー画面Ｂ、Ｃ、設定項目画面Ｄ、Ｅ、Ｆと、設定画面Ｇ）にそれぞれ表示された「選択項目の名称」は、本願補正発明の「選択項目名」に相当し、引用発明１では当該選択項目名を指示することにより下位の階層のメニューが指定されるから、各階層のメニュー画面の選択項目名（選択項目の名称）が表示された部分は本願補正発明の「選択項目」に相当し、当該「選択項目」は階層的に組み立てられているということができる。
　また、引用発明１の設定項目画面Ｄには、選択項目と一つ下位の階層で設定されている項目を示す記号とが表示されており、引用発明１の設定項目画面Ｄに表示される「選択項目」は、本願補正発明の「上位の階層の選択項目」に相当し、引用発明１の設定項目画面Ｄの「一つ下位の階層で設定されている項目を示す記号」は、本願補正発明の「下位の階層の選択状況を示す情報」に相当し、引用発明１には、本願補正発明と同様に、「階層的に組み立てられた選択項目の情報を表示する情報表示方法」が記載されているということができる。
　そして、引用発明１では、本願補正発明と同様に「下位の階層の選択項目を表示するサブメニュー画面」を用いることなく、選択項目の情報を表示しているということができる。
　
　したがって、両者は
「上位の階層の選択項目に下位の階層の選択状況を示す情報を付加して表示することにより、前記下位の階層の選択項目を表示するサブメニュー画面を用いることなく、階層的に組み立てられた選択項目の情報を表示する情報表示方法であって、階層のメニュー画面に含まれる選択項目には、少なくとも、当該階層の選択項目の選択項目名と、一つ下位の階層で設定されている選択項目の記号と、を表示する、情報表示方法。」の点で一致し、以下の点で相違している。
　
相違点１
　本願補正発明は、選択項目はメニュー画面のタイトルに含まれているのに対して、引用発明１のメニュー画面にはタイトルが含まれていない点。
　
相違点２
　本願補正発明は、各階層で選択される各選択項目にそれぞれ個別の記号を付し、該各階層の任意の階層のメニュー画面に含まれる選択項目には、少なくとも、当該階層の選択項目の選択項目名と、当該階層の選択項目の記号と、一つ下位の階層で設定されている選択項目の記号と、を表示しているのに対して、引用発明１でも、各階層の任意の階層のメニュー画面の選択項目には、少なくとも、当該階層の選択項目の選択項目名を表示しており、また、上位の階層では一つ下位の階層で設定されている項目の記号を表示しているが、各階層で選択される各選択項目にそれぞれ個別の記号を付して表示すること、一つ下位の階層で設定されている選択項目の記号を各階層の任意のメニュー画面の選択項目に表示することについては記載がない点。
　
（３）当審の判断
　以下、上記相違点について検討する。
　
相違点１について
　メニュー画面にタイトルを含ませることは特開平５−８３６０６号公報（段落【００２６】、図３には、メニュー枠１５の最上位にタイトル１６が表示されている。）に記載されているように周知であって格別のことではなく、引用発明１のメニュー画面にタイトルを表示させることにより、選択項目をメニュー画面のタイトルに含ませて本願発明のように構成することに格別の困難性はない。
　
相違点２について
　引用発明２には、複数の階層からなるメニュー画面において、各階層のメニュー画面の各メニュー項目（項目を選択するためのものであるから、「選択項目」ということができる。）毎に他のメニュー項目と区別するための図柄（図柄は他のメニュー項目と区別するための「記号」ということができる。）の欄を設けることが記載されており、引用発明１において、選択項目に他の選択項目と区別するための記号を付す引用発明２の技術を適用して、各階層で選択される各選択項目にそれぞれ個別の記号を付し、選択項目に表示する下位の階層で設定されている項目を示す記号を当該各選択項目にそれぞれ付された記号とすることにより本願補正発明のように構成することは当業者が容易になし得ることである。
　
　そして、本願補正発明のように構成したことによる効果も引用発明１、引用発明２及び周知技術から予測できる程度のものである。
　
　したがって、本願補正発明（請求項１に係る発明）は、引用発明１，引用発明２及び周知技術に基づいて当業者が容易に発明をすることができたものである。
　
（４）むすび
　以上のとおりであるから、本件補正は特許法第１７条の２第５項で準用する同法第１２６条第５項の規定に違反するものであり、特許法第１５９条第１項で準用する特許法第５３条第１項の規定により却下すべきものである。
　
３．本願発明について
　平成１７年６月６日付け手続補正は上記のとおり却下されたので、本願の請求項１に係る発明（以下、「本願発明」という。）は、平成１６年３月２９日付け手続補正書の特許請求の範囲の請求項１に記載された事項により特定される、以下のとおりのものである。
「上位の階層の選択項目に下位の階層の選択状況を示す情報を階層的に組み立てて表示する情報表示方法であって、各階層で選択される各選択項目にそれぞれ個別の記号を付し、該各階層の任意の階層のメニュー画面のタイトルに含まれる選択項目には、少なくとも、当該階層の選択項目の記号と、一つ下位の階層で設定されている選択項目の記号とを表示する、ことを特徴とする情報表示方法。」
　
（１）引用刊行物
　原査定の拒絶の理由に引用された引用刊行物及びその記載事項は、前記「２．（１）」に記載したとおりである。
　
（２）対比・判断
　本願発明は、前記２．で検討した本願補正発明の「上位の階層の選択項目に下位の階層の選択状況を示す情報を階層的に組み立てて表示する情報表示方法」を「上位の階層の選択項目に下位の階層の選択状況を示す情報を付加して表示することにより、前記下位の階層の選択項目を表示するサブメニュー画面を用いることなく、階層的に組み立てられた選択項目の情報を表示する情報表示方法」とし、「当該階層の選択項目の記号と、一つ下位の階層で設定されている選択項目の記号とを表示する」を「当該階層の選択項目の選択項目名と、当該階層の選択項目の記号と、一つ下位の階層で設定されている選択項目の記号と、を表示する」とする限定を削除したものである。
　そうすると、本願発明の構成要件を全て含みさらに限定を付したものに相当する本願補正発明が、前記「２．（３）」に記載したとおり、引用発明１、引用発明２及び周知技術に基づいて、当業者が容易に発明をすることができたものであるから、本願発明も、同様の理由により、引用発明１、引用発明２及び周知技術に基づいて、当業者が容易に発明をすることができたものである。
　
（３）むすび
　以上のとおり、本願発明（請求項１に係る発明）は、引用発明１、引用発明２及び周知技術に基づいて当業者が容易に発明をすることができたものである。
　したがって、本願はその余の請求項について論及するまでもなく、特許法第２９条第２項の規定により特許を受けることができない。
　
　よって、結論のとおり審決する。